(57)【要約】【課題】利用者が、簡単な操作で所望の商品情報等の情報の取得・表示・再表示ができ、さらに他の情報共有者と当該情報の共有が容易にできる携帯端末装置を提供する。【解決手段】インターネット接続可能であり、インターネットを介して取得した情報を表示する携帯端末装置において、該携帯端末装置に備わるバーコード読取手段あるいは該携帯端末装置に接続されるバーコード読取装置を用いて、バーコードがもつＵＲＬの情報または該バーコードに対応づけられるＵＲＬの情報から、該ＵＲＬにより指定されるＷｅｂページの情報を取得して表示し、さらに、読み取ったバーコードのデータを所定の記憶手段に保存して、前記Ｗｅｂページの情報を再表示する際には、保存したバーコードのデータを基に、前記Ｗｅｂページの情報を再度取得して表示する。【選択図】        図１
2004164377.tif 000002
【特許請求の範囲】
【請求項１】
インターネット接続可能であり、インターネットを介して取得した情報を表示する携帯端末装置において、
バーコード読取手段と、
前記バーコード読取手段により読み取られるバーコードがもつＵＲＬの情報または該バーコードに対応づけられるＵＲＬの情報から、該ＵＲＬにより指定されるＷｅｂページの情報を取得し表示する情報開示手段と、
読み取ったバーコードのデータを所定の記憶手段に保存し、前記Ｗｅｂページの情報を再表示する際には、前記記憶手段に保存したバーコードのデータを基に、前記Ｗｅｂページの情報を再度取得し、再表示する情報再表示手段と、を具備する
ことを特徴とする携帯端末装置。
【請求項２】
インターネット接続可能であり、インターネットを介して取得した情報を表示する携帯端末装置において、
バーコード読取装置に接続するためのインタフェース回路と、
該携帯端末装置に接続されたバーコード読取装置により読み取られるバーコードがもつＵＲＬの情報または該バーコードに対応づけられるＵＲＬの情報から、該ＵＲＬにより指定されるＷｅｂページの情報を取得し表示する情報開示手段と、
読み取ったバーコードのデータを所定の記憶手段に保存し、前記Ｗｅｂページの情報を再表示する際には、前記記憶手段に保存したバーコードのデータを基に、前記Ｗｅｂページの情報を再度取得し、再表示する情報再表示手段と、を具備する
ことを特徴とする携帯端末装置。
【請求項３】
前記所定の記憶手段は、メールサーバのメールボックスであって、
前記読み取ったバーコードのデータの保存は、該バーコードのデータを電子メールに含め、前記メールボックスに送信し保管することにより行う
ことを特徴とする請求項１または請求項２に記載の携帯端末装置。
【請求項４】
情報を共有する他の情報共有者宛に、読み取ったバーコードのデータを電子メールにより送信する情報共有手段を、さらに具備し、
前記情報共有者が、送られたバーコードのデータを基に前記Ｗｅｂページを参照可能とすることで、該Ｗｅｂページの情報を共有可能とした
ことを特徴とする請求項１から請求項３のいずれかに記載の携帯端末装置。
【発明の詳細な説明】
【０００１】
【発明の属する技術分野】
本発明は、インターネット接続可能な携帯電話機や携帯情報端末等の携帯端末装置に関し、特に、バーコードを利用し簡単な操作で商品情報等の情報を容易に取得・表示できる携帯端末装置に関する。
【０００２】
【従来の技術】
従来より、宣伝等のために商品情報が様々な媒体を介して消費者に提示されている。代表的なものとしては、古くから利用されているテレビ放送やラジオ放送等による映像・音声を用いたＣＭや、雑誌やちらし等の印刷媒体を利用したもの等から、最近では、インターネットを介した電子広告等による、商品情報提示の形態もある。
一方、携帯電話機や携帯情報端末等の携帯端末装置が普及し、このような携帯端末装置もインターネットに接続可能となってきており、インターネットを介した情報の取得・情報の提供が一般的に行われるようになっている。
このようにインターネットの利用が一般化してきているが、その情報源は多種多様であり、利用者は、必要な情報を得るには、その所在を示すＵＲＬ（Ｕｎｉｆｏｒｍ  Ｒｅｓｏｕｒｃｅ  Ｌｏｃａｔｏｒ）が分かっておればその入力をしてアクセスし、分からない場合には、いわゆる検索エンジンを利用してアクセスしている。
【０００３】
しかし、上記のようにＵＲＬを入力する方法や検索エンジンを利用する方法では、手間がかかる上、誤入力をしたりもする。このような状況から、必要とする商品情報のような情報を、簡単に取得できることが望まれた。この課題を解決するものとして、例えば、下記の特許文献１には、商品情報を提供するホームページに簡単な操作でアクセス可能なホームページ検索サービス方法の発明が開示されている。この発明の１つは、商品を識別するために付与されるコード情報とこの商品に関する情報を提供する情報ホームページのホームページアドレスとを対応づけるデータベースを設け、読み取られたバーコードに含まれるコード情報に基づいて上記データベースから情報ホームページのホームページアドレスを検索する商品情報検索ページを提供することで、消費者が、バーコードスキャナを用いてバーコードに含まれるコード情報を商品情報検索ページに入力するだけで、容易に情報ホームページの閲覧が行えるものとなっている。また、特許文献２には、バーコード自体にＵＲＬの情報をもたせ、対応するホームページに容易にアクセスすることができる発明が開示されている。
【０００４】
【特許文献１】
特開２００１−３５０７８２号公報
【特許文献２】
特開平０９−２０４３８９号公報
【特許文献３】
特開２０００−２１５１３５号公報
【特許文献４】
特開２００１−１８４１４１号公報
【特許文献５】
特開２００１−２４９８４０号公報
【０００５】
【発明が解決しようとする課題】
バーコードを利用し、バーコードを読み取るだけで、（このバーコードに含まれる情報に基づき）所望の情報を提供するＷｅｂページにアクセスできるように携帯端末装置を用いて構成した場合、この携帯端末装置の記憶容量等の制限から、取得した情報をこの携帯端末装置に保存することは好ましくない。しかし、取得した情報を保存しないようにすると、同じ情報を参照するには、再度バーコードを読み取ることになるが、このバーコードが印刷された媒体が手元になければ、所望の情報を再度見ることはできない。
【０００６】
本発明は、上記の点に鑑みてなされたもので、利用者が、簡単な操作で所望の商品情報等の情報の取得・表示・再表示ができ、さらに他の情報共有者と当該情報の共有が容易にできる携帯端末装置を提供するものである。
【０００７】
【課題を解決するための手段】
上記課題を解決するため、請求項１に記載の発明は、インターネット接続可能であり、インターネットを介して取得した情報を表示する携帯端末装置において、バーコード読取手段と、前記バーコード読取手段により読み取られるバーコードがもつＵＲＬの情報または該バーコードに対応づけられるＵＲＬの情報から、該ＵＲＬにより指定されるＷｅｂページの情報を取得し表示する情報開示手段と、読み取ったバーコードのデータを所定の記憶手段に保存し、前記Ｗｅｂページの情報を再表示する際には、前記記憶手段に保存したバーコードのデータを基に、前記Ｗｅｂページの情報を再度取得し、再表示する情報再表示手段と、を具備することを特徴としている。
【０００８】
また、請求項２に記載の発明は、インターネット接続可能であり、インターネットを介して取得した情報を表示する携帯端末装置において、バーコード読取装置に接続するためのインタフェース回路と、該携帯端末装置に接続されたバーコード読取装置により読み取られるバーコードがもつＵＲＬの情報または該バーコードに対応づけられるＵＲＬの情報から、該ＵＲＬにより指定されるＷｅｂページの情報を取得し表示する情報開示手段と、読み取ったバーコードのデータを所定の記憶手段に保存し、前記Ｗｅｂページの情報を再表示する際には、前記記憶手段に保存したバーコードのデータを基に、前記Ｗｅｂページの情報を再度取得し、再表示する情報再表示手段と、を具備することを特徴としている。
【０００９】
また、請求項３に記載の発明は、請求項１または請求項２に記載の発明において、前記所定の記憶手段は、メールサーバのメールボックスであって、前記読み取ったバーコードのデータの保存は、該バーコードのデータを電子メールに含め、前記メールボックスに送信し保管することにより行うことを特徴としている。
【００１０】
また、請求項４に記載の発明は、請求項１から請求項３のいずれかに記載の発明において、情報を共有する他の情報共有者宛に、読み取ったバーコードのデータを電子メールにより送信する情報共有手段を、さらに具備し、前記情報共有者が、送られたバーコードのデータを基に前記Ｗｅｂページを参照可能とすることで、該Ｗｅｂページの情報を共有可能としたことを特徴としている。
【００１１】
請求項１から請求項４に記載の携帯端末装置は、上記バーコード読取手段あるいはバーコード読取装置を用いて、バーコードを読み取る操作がなされると、このバーコードを読み取り、読み取ったバーコードのデータから、そのバーコード情報（使用する規格に従ってデコードした情報）を得る。このバーコード情報自体にＵＲＬの情報が含まれる場合はこのＵＲＬを基に、または、このバーコード情報自体にはＵＲＬが含まれずこのバーコード情報にＵＲＬの情報が対応づけられている場合には対応するＵＲＬを基に、このＵＲＬにより指定されるＷｅｂページの情報を、インターネットを介して取得しその内容を表示する。このように、バーコードを読み取るだけで、このバーコード自体がもつＵＲＬの情報または該バーコードに対応づけられるＵＲＬの情報から、自動的にこのＵＲＬで指定されるＷｅｂページの情報が取得され表示される。
商品情報等の情報を携帯端末装置の利用者に開示したい事業者は、商品情報等の情報を提供するＷｅｂページを用意し、さらにこのＷｅｂページへアクセス可能とするバーコードを記録した媒体を配布することで、本発明の携帯端末装置のユーザに、商品情報等を提供することができるようになる。
【００１２】
また、読み取ったバーコードのデータは、所定の記憶手段に保存される。そして、このバーコードがもつＵＲＬの情報または該バーコードに対応づけられるＵＲＬで指定されるＷｅｂページの情報を再表示する際には、所定の記憶手段に保存したバーコードのデータを基に、Ｗｅｂページの情報を再度取得し、再表示する。この発明により、該当するバーコードが印刷された媒体等が利用者の手元にない場合でも、所望の情報を再表示することができる。また、一度読み取ったバーコードに関係する情報は、このようにしていつでも再表示できるようになり、この情報を携帯端末装置自体に保存する必要がない。
【００１３】
また、請求項３に記載の発明では、バーコードのデータを、このデータを含む電子メールとしてメールサーバのメールボックスに保存するので、携帯端末装置に備わる記憶手段の記憶容量を消費せず、一般に記憶容量が少ない携帯端末装置に好適である。
また、請求項４に記載の発明では、情報を共有する他の情報共有者に対し、読み取ったバーコードのデータを、電子メールにより与えることで、Ｗｅｂページの情報を共有する。このように情報共有者間では、データ量の少ないバーコードのデータを送受信するので、記憶容量が少ない携帯端末装置には好適であり、また、通信するデータ量も少なくて済み、通信料金も抑えることができる。
【００１４】
なお、上記バーコードのデータは、バーコード読取手段またはバーコード読取装置によりバーコードからの反射光の強弱に応じて得られるデジタル信号のデータ、または、バーコード読取手段またはバーコード読取装置により撮像されたバーコード画像から画像処理を施し得られる輝度に基づくコントラストパターンデータ、または、上記デジタル信号から、使用するバーコードの規格に従ってデコードし得られるバーコード情報のいずれかであるとする。また、このバーコードは、上記ＷｅｂページのＵＲＬの情報を含むか、または、別途ＷｅｂページのＵＲＬと対応づけられている。
【００１５】
【発明の実施の形態】
以下、本発明の実施の形態を、図面を参照して説明する。
図１は、本発明の一実施の形態である携帯電話機の構成を示すブロック図である。
【００１６】
この図に示す携帯電話機１は、一般にリトラクタブルとされたアンテナ１ａを備え、このアンテナ１ａは変調・復調機能を有する通信部１３に接続されている。ＣＰＵ（中央処理装置）１０は、電話機能プログラムやインターネット接続機能プログラムならびに携帯電話機１を本発明の携帯端末装置として実現するための制御プログラム（詳細は後述する）を実行することにより携帯電話機１の各部の動作を制御するもので、内部に時計機能を有している。ＲＡＭ・１１はデータ記憶用の半導体メモリである。ＲＯＭ・１２はＣＰＵ・１０のプログラムが記憶されており、また、着信音、保留音、ＢＧＭ音の楽曲データが予め記憶されている読み出し専用メモリである。なお、楽曲データはその配信を受けＲＡＭ・１１に記憶するようにしてもよい。
【００１７】
通信部１３は、アンテナ１ａで受信された信号の復調を行うとともに、送信する信号を変調してアンテナ１ａから送信する。変復調方式には、無線周波数の利用率を良くするため、ＱＰＳＫ（４相位相変調）などが用いられる。また、ＴＤＤ（時分割双方向通信）方式や、その他、ＣＤＭＡ（符合分割多重接続）方式、ＰＤＣ（Ｐｅｒｓｏｎａｌ  Ｄｉｇｉｔａｌ  Ｃｅｌｌｕｌａｒ  Ｓｙｓｔｅｍ）方式などを用いてもよい。通信部１３で復調された受話信号は、コーダ／デコーダを備える音声処理部１４において復号され、楽曲再生部１５を介してスピーカ２２へ出力され、音声として発音される。また、マイク２１から入力された送話用の音声信号は音声処理部１４において圧縮符号化され、通信部１３へ出力される。音声処理部１４は、上述したように、音声信号を高能率圧縮符号化／復号化しており、例えばＣＥＬＰ（Ｃｏｄｅ  Ｅｘｃｉｔｅｄ  ＬＰＣ）系やＡＤＰＣＭ（適応差分ＰＣＭ符号化）方式のコーダ／デコーダを備えている。楽曲再生部１５は着信音、保留音、ＢＧＭ音の形成を行うもので、ＲＯＭ・１２に記憶された所定の楽曲データを、ＣＰＵ・１０の制御により所定のタイミングで再生する。
【００１８】
インタフェース（Ｉ／Ｆ）１６は、バーコードリーダ（図２（ｂ）参照）やパーソナルコンピュータ等の外部機器２５を接続するためのインタフェース（Ｉ／Ｆ）である。入力部１７は携帯電話機１に備える「０」〜「９」の数値キー、ファンクションキーおよびジョグダイヤル等から構成される入力手段である。表示部１８は電話機能やその他の機能のメニューや、入力部１７の操作に応じた表示がされる表示器である。バイブレータ１９は、着信時に着信音に代えて携帯電話機１の本体を振動させることにより、着信をユーザに知らせるバイブレータである。バーコード読取部２０は、バーコードを読み取るためのカメラ（ＣＣＤカメラ、ＣＭＯＳカメラ等）あるいは光学式スキャナからなる（図２（ａ）参照）。本実施の形態では、光学式スキャナを用いた例を説明する。もちろん、カメラを用いてバーコードを読み取るようにしてもよい。なお、各機能ブロックはバス２４を介してデータや命令の授受を行っている。
【００１９】
また、本実施の形態では、上記バーコード自体にＵＲＬの情報を含ませるものとするが（例えば、英数字と一部の記号を表せるとともに、その組み合わせにより、アスキーコードの全キャラクタを表せるＣＯＤＥ−３９規格のバーコードを用いることでＵＲＬをバーコードで表すことができる）、一般に商品等に印刷されているバーコードがもつバーコード情報と、この商品の商品情報を提供する商品情報サイトのＵＲＬを対応づけるデータベースを有する検索サーバを別途設け、この検索サーバを利用して、一般のバーコードがもつバーコード情報に基づき上記ＵＲＬを取得するようにしてもよい。また、このバーコードは、商品パンフレット、ポスター、雑誌広告、電車・バス内に設置される広告、あるいは商品を梱包する箱等に印刷され利用される（図３参照）。
【００２０】
ここで、携帯電話機１に内蔵するバーコード読取部（光学式スキャナ）２０について、その概略構成とその動作を説明する。
図４（電気的結線は省略）に示すように、バーコード読取部２０は、そのハウジング内に、光源２０ａ、レンズ２０ｂ、半透明ミラー２０ｃ、ミラー２０ｄ、走査用モータ２０ｅ、光検出器２０ｆ、Ａ／Ｄ変換器２０ｇが設置されている。バーコードを走査するため、光源２０ａが出力するレーザ光は、バーコードの読み取りが行われる所定の距離のところで一定の大きさのビームスポットになるように、レンズ部（光学系）２０ｂにより光学的に調整される。同図に示す光路に沿って出力されるレーザ光は、バーコード部分に照射され、その反射光が同光路に沿って入力される。
【００２１】
半導体レーザ等からなる光源２０ａは、レンズ部２０ｂの軸線にレーザ光を導入する。このレーザ光は半透明ミラー２０ｃを通過し、ミラー２０ｄにより反射される。ミラー２０ｄは、走査用モータ２０ｅに結合されており、この走査用モータ２０ｅにより走査方向に振動する。したがって、光源２０ａから出力されたレーザ光は、ミラー２０ｄの振動によって所定の走査方向に走査される。
レーザ光が照射されたバーコード部分から反射されるレーザ光は、透過窓２０ｈを通って、ミラー２０ｄと半透明ミラー２０ｃで反射され、光検出器２０ｆに入射される。光検出器２０ｆは、バーコード部分から反射されたレーザ光の強さを検出し、この光の強弱に応じた電気信号を発生する。この電気信号は、Ａ／Ｄ変換器２０ｇによりデジタル信号に変換されＣＰＵ・１０に与えられる。
【００２２】
以上のように、バーコード読取部２０は構成される。
なお、このバーコード読取部２０から与えられるバーコードからの反射光の強弱に応じたデジタル信号を受けたＣＰＵ・１０は、使用するバーコードの規格（例えば、ＣＯＤＥ−３９）に従ってこのデータをデコードし、キャラクタ（英数字／記号）・コードの列からなるバーコード情報に変換する。また、バーコード読取部２０として、カメラを用いる場合は、バーコードをカメラにより撮像し、撮像したバーコードの画像データがＣＰＵ・１０に与えられる。ＣＰＵ・１０は、この画像データに対して、周知の画像処理を施し、輝度に基づくバーコードのコントラストパターンデータを抽出し、使用するバーコードの規格に従ってこのコントラストパターンデータをデコードしバーコード情報に変換する。なお、本実施の形態では、上記デジタル信号のデータまたはコントラストパターンデータを「バーコードデータ」と称し、使用するバーコードの規格に従ってこのデータをデコードし、キャラクタ・コードの列としたデータを「バーコード情報」と称す。
【００２３】
次に、このように構成された本実施形態の携帯電話機１の、本発明に係る動作について、すなわち、携帯電話機１を本発明の携帯端末装置として実現するための制御プログラムの処理について説明する（図５参照）。
なお、着信、通話発信およびインターネット接続等の動作については、従来と同様でありその説明は省略する。また、以下では、保存するバーコードのデータが、上記「バーコードデータ」であるものとして説明するが、上記「バーコード情報」であってもよい。
【００２４】
はじめに、ステップＳ０１にて、携帯電話機１で、バーコード読み取りを開始するための所定の操作が行われたか否か判断する。この判断で、所定の操作が行われたと判定されると（Ｙｅｓの判定）、ステップＳ０２に移行する。
ステップＳ０２では、ユーザにより、バーコードを読み取る操作（動作）がなされ、バーコード読取部２０からバーコードが読み取られる（なお、外部機器であるバーコードリーダを用いバーコードを読み取る際の様子を図６に示している）。前述のようにバーコード読取部２０により光学的に読み取られＡ／Ｄ変換され出力されるデジタル信号は、ＣＰＵ・１０に送られる。
【００２５】
次に、ＣＰＵ・１０は、ステップＳ０３にて、バーコード読取部２０から受けたデジタル信号のデータを、使用するバーコードの規格に従ってそのデコードを行い、デコードしたバーコード情報からＵＲＬを得る。前述のように本実施の形態では、バーコード自体にＵＲＬの情報を含んでいるものとしている。なお、ここで、ＵＲＬが取得できない場合、すなわち、ＵＲＬの情報を含んでいないバーコードを読み取った場合は、その旨のエラー・メッセージを表示し、処理を終了する。
【００２６】
上記ステップＳ０３にてＵＲＬを取得できると、ステップＳ０４にて、商品情報サイトへの接続のための操作がなされたか否かの判断をする。この段階では、読み取ったバーコードからＵＲＬが取得できた旨のメッセージを表示し、ユーザに商品情報サイトへの接続をするか否かの操作を促すようにし、その操作の入力を受け付ける。
ステップＳ０５にて、ユーザにより商品情報サイトへの接続を指示する操作がなされたと判定されると（Ｙｅｓの判定）、取得したＵＲＬに基づき、このＵＲＬにより指定される商品情報サイトに接続を行う（図７：▲１▼参照）。ここでの処理は、通常のインターネット・サイトへの接続処理である。
【００２７】
次に、ステップＳ０６にて、接続した商品情報サイトから当該ＵＲＬで示される商品情報をダウンロードし（図７：▲２▼参照）、この商品情報を表示する（図８参照）。
そして、ステップＳ０７にて、読み取ったバーコードのバーコードデータを保存する。このバーコードデータの保存は、このために設けた所定のメールサーバのメールボックスに対して行う（図７：▲３▼参照）。もちろん、バーコードデータ自体は、データ量が小さいので、ＲＡＭ・１１に保存するようにしてもよい。また、上記メールボックスとして、ユーザ自身が、通常の電子メールの送受信に使用しているメールボックスを利用してもよい。この場合は、電子メールにバーコードデータが含まれているか否かの識別をするために、タイトル（件名）等に別途定められる規約に基づく文字列を設定するようにし、これに基づき識別をするとよい。
【００２８】
次に、ステップＳ０８にて、取得した商品情報の共有をするための操作がなされたか否かの判断をする。この段階では、取得した商品情報を、他の特定のユーザ（情報共有者）と共有するか否かの操作を促すようにし、その操作の入力を受け付ける。
ステップＳ０９の判断で、情報を共有するための操作がなされたとの判定がされると（Ｙｅｓの判定）、上記バーコードデータを含む電子メールを生成し、上記情報共有者が使用する所定のメールアドレス宛に送信する（図７：▲４▼参照；この図では共通のメールサーバを利用するものとしている）。なお、バーコードデータは、電子メールの本文にテキストとして挿入するようにしてもよいし、添付ファイルに含めるようにしてもよい。バーコードデータを含む電子メールを受けた情報共有者は、自身の携帯電話機１を用いて、後述するステップＳ１１〜Ｓ１５の処理により、当該商品情報を参照できるようになる（図７：▲５▼参照）。一方、ステップＳ０７の判断で、Ｎｏの判定がなされると、処理を終了する。
【００２９】
ここで、ステップＳ０１で、Ｎｏの判定がなされた場合の処理を説明する。
ステップＳ０１で、Ｎｏの判定がなされると、ステップＳ１０に移行する。
ステップＳ１０では、取得した商品情報の再表示または他のユーザから通知を受けた商品情報の表示をするための所定の操作がなされたか否かの判断をする。
ステップＳ１０の判断で、商品情報の再表示あるいは他のユーザから通知を受けた商品情報の表示を指示する操作がなされたとの判定がなされると（Ｙｅｓの判定）、ステップＳ１１に移行する。一方、この判断で、Ｎｏと判定されると、ステップＳ１６に移行し、その他所定の処理（通常の通話機能の処理や、その他携帯電話機１に備わる機能の処理）を実行する。
【００３０】
ステップＳ１１では、バーコードデータを取得する。ここでは、ユーザが使用する所定のメールボックスから、商品情報の再表示である場合には、先に取得したバーコード情報を含めて保存している電子メールをダウンロードし、このメールからバーコードデータを抽出する。一方、他のユーザから通知を受けた商品情報の表示をする場合には、他のユーザから通知されたバーコードデータを含むメールをダウンロードし、この電子メールからバーコードデータを抽出する。
【００３１】
なお、ユーザがメールボックスに保存するバーコードデータを含む電子メールや他のユーザが通知するバーコードデータを含む電子メールに対し、その本文やタイトルに、このバーコードデータと関連づけられる商品情報を識別（区別）するための名称や要約等を付加するようにするとよい。これは、ＣＰＵ・１０が、一度ダウンロードした商品情報からそのタイトルやヘッドライン等を抽出して電子メールに挿入するようにしてもよいし、ユーザがその名称や要約を適宜当該電子メールに書き込むようにしてもよい。これにより、ユーザは、所望の商品情報と関連づけられたバーコードデータを含む電子メールを選択してダウンロードすることができる。
【００３２】
次に、ステップＳ１２にて、バーコードデータを、使用するバーコードの規格に従ってデコードを行い、デコードしたバーコード情報からＵＲＬを得る。
そして、ステップＳ１３にて、商品情報サイトへの接続のための操作がなされたか否かの判断をする。この段階では、ＵＲＬが取得できた旨のメッセージを表示して、ユーザに商品情報サイトへの接続をするか否かの操作を促すようにし、その操作の入力を受け付ける。
なお、インターネット上にバーコードデータをデコードするサーバを用意し、このサーバを利用して上記ステップＳ１２におけるバーコードデータのデコードを行うようにすれば、携帯電話機１にデコード機能を持たせなくても、本発明を実現できる。
【００３３】
上記ステップＳ１３にて、ユーザにより商品情報サイトへの接続を指示する操作がなされたと判定されると、ステップＳ１４にて、取得したＵＲＬに基づきこのＵＲＬにより指定される商品情報サイトに接続を行う。
次に、ステップＳ１５にて、接続した商品情報サイトから商品情報をダウンロードし、この商品情報を表示する。
以上、本実施形態の携帯電話機１の動作について説明した。
【００３４】
なお、上記で説明した動作フローは一例であり、上記の処理の流れに限定されるものではない。
また、この発明の実施形態を、図面を参照して詳述してきたが、具体的な構成はこの実施形態に限られるものではなく、この発明の要旨を逸脱しない範囲の構成等も含まれる。例えば、上記実施の形態では、携帯電話機を例として説明したが、本発明は、例えば、インターネット接続可能な、ＰＨＳ（登録商標）（Ｐｅｒｓｏｎａｌ  Ｈａｎｄｙｐｈｏｎｅ  Ｓｙｓｔｅｍ）端末や、携帯情報端末（ＰＤＡ）、パーソナルコンピュータ等にも適用できる。
【００３５】
【発明の効果】
以上、詳細に説明したように、本発明によれば、読み取られるバーコードがもつＵＲＬの情報または該バーコードに対応づけられるＵＲＬの情報から、該ＵＲＬにより指定されるＷｅｂページの情報を取得し表示するので、Ｗｅｂページにて提供される詳細な情報を、様々な場所で提供されうる媒体に記録されたバーコードを、本携帯端末装置を用いて読み込むだけで簡単に表示することができる。また、遊び感覚で情報を入手できるため商品情報を提供する場合、その宣伝効果の向上も期待できる。また、バーコードが記録される媒体が広告（ポスター、パンフレット等）である場合に、その詳細な情報をＷｅｂページにて提供することを前提に、該広告にはバーコードの他は最小限の内容を記載するようにすることで、広告費用の削減も可能となる。
【００３６】
また、読み取ったバーコードのデータを所定の記憶手段に（特にはメールサーバのメールボックスに）保存し、前記Ｗｅｂページの情報を再表示する際には、前記記憶手段に保存したバーコードのデータを基に、前記Ｗｅｂページの情報を再度取得し、再表示するので、情報の管理が簡単に行えるものとなる。また、バーコードのデータのデータ量自体が少なく、一般に記憶容量が少ない携帯端末装置に好適である。また、バーコードのデータを保存することで、再度バーコードを読み取る必要がなく、このバーコードが記録された媒体が手元になくとも、いつでも同じ情報を参照することができる。
また、本発明によれば、情報を共有する他の情報共有者宛に、読み取ったバーコードのデータを電子メールにより送信することで、情報を共有することができる。
【図面の簡単な説明】
【図１】本発明の一実施の形態である携帯電話機の構成を示すブロック図である。
【図２】（ａ）携帯電話機とそのバーコード読取部の外観を示す図、（ｂ）携帯電話機と外部機器として接続されたバーコードリーダの外観を示す図である。
【図３】バーコードを印刷した媒体の外観を示す一例である。
【図４】光学式スキャナを用いたバーコード読取部の概略構成を示す図である。
【図５】同実施形態の携帯電話機の、本発明に係る動作を説明するフローチャートである。
【図６】バーコードリーダを用いバーコードを読み取る際の様子を示す図である。
【図７】同実施形態の携帯電話機の動作を説明する図である。
【図８】ダウンロードしたＷｅｂページの内容の表示例である。
【符号の説明】
１…携帯電話機（携帯端末装置）、１０…ＣＰＵ、１１…ＲＡＭ、１２…ＲＯＭ、１３…通信部、１４…音声処理部、１５…楽曲再生部、１６…インタフェース（Ｉ／Ｆ）、１７…入力部、１８…表示部、１９…バイブレータ、２０…バーコード読取部（バーコード読取出段）、２０ａ…光源、２０ｂ…レンズ、２０ｃ…半透明ミラー、２０ｄ…ミラー、２０ｅ…走査用モータ、２０ｆ…光検出器、２０ｇ…Ａ／Ｄ変換器、２０ｈ…透過窓、２１…マイク、２２…受話用スピーカ、２３…着信用スピーカ、２４…バス、２５…外部機器（バーコードリーダ（バーコード読取装置））、３０…商品情報サーバ、４０…メールサーバ
【図１】
2004164377.tif 000003
【図２】
2004164377.tif 000004
【図３】
2004164377.tif 000005
【図４】
2004164377.tif 000006
【図５】
2004164377.tif 000007
【図６】
2004164377.tif 000008
【図７】
2004164377.tif 000009
【図８】
2004164377.tif 000010